(57)【要約】【課題】電源オフによって通信の受信を回避したとしても、特定の通信に対してはそれを受信できるようにする。【解決手段】クレードル２は、通信端末装置１が使用する通信識別情報と同一の通信識別情報を用いて通信を受信した際に、特定の通信であれば、通信端末装置１の電源をオンさせて当該通信を通信端末装置１側に引き渡す処理を行う。一方、通信端末装置１は、その端末宛の通信をクレードル２が受信した場合に、このクレードル２から所定の信号を受け付けると共に、この所定の信号を電源オフの状態で受け付けた場合には、電源をオンしてクレードル２側で受信した通信を引き継いで行う。【選択図】  図１
2010166207.tif 000002
【特許請求の範囲】
【請求項１】
通信端末装置が接続可能な端末接続装置であって、
前記通信端末装置が使用する通信識別情報と同一の通信識別情報を用いて通信を行う通信手段と、
この通信手段によって通信を受信した際に、特定の通信であるか否かを判別する判別手段と、
この判別手段によって特定の通信であると判別された場合に、前記通信端末装置の電源をオンさせて前記通信を当該通信端末装置に引き渡す処理を行う制御手段と、
を具備したことを特徴とする端末接続装置。
【請求項２】
特定の送信元を記憶する記憶手段を更に備え、
前記判別手段は、前記通信手段によって通信を受信した場合に、その通信の送信元が前記記憶手段に記憶されているか否かに基づいて特定の通信であるか否かを判別する、
ようにしたことを特徴とする請求項１記載の端末接続装置。
【請求項３】
前記通信端末装置が接続された場合に、前記通信端末装置側に記憶されている特定の送信元を示す情報を取得して前記記憶手段の内容を更新する、
ようにしたことを特徴とする請求項２記載の端末接続装置。
【請求項４】
前記判別手段は、前記通信手段によって通信を受信した場合に、その通信に緊急信号が含まれているか否かにより特定の通信であるか否かを判別する、
ようにしたことを特徴とする請求項１記載の端末接続装置。
【請求項５】
前記制御手段は、前記通信端末装置が電源オフの状態で接続されている場合に、前記通信手段による通信が有効となるように制御する、
ようにしたことを特徴とする請求項１記載の端末接続装置。
【請求項６】
前記通信識別情報を記憶している前記通信端末装置が接続された場合に、通信端末装置側から通信識別情報を取得する取得手段を更に備える、
ようにしたことを特徴とする請求項１記載の端末接続装置。
【請求項７】
前記制御手段は、前記通信端末装置が接続された際に、通信端末装置の電源をオフさせると共に、前記通信手段による通信が有効となるように制御する、
ようにしたことを特徴とする請求項１記載の端末接続装置。
【請求項８】
前記通信端末装置を充電する充電手段を更に備える、
ようにしたことを特徴とする請求項１又は２に記載の端末接続装置。
【請求項９】
通信手段を有する端末接続装置に接続される通信端末装置であって、
当該通信端末装置が使用する通信識別情報と同一の通信識別情報を用いて前記端末接続装置側の通信手段が特定の送信元からの通信を受信した場合に、当該端末接続装置から所定の信号を受け付ける受付手段と、
この受付手段によって受け付けた所定の信号を電源オフの状態で受け付けたのか否かを判別する判別手段と、
この判別手段によって電源オフの状態で所定の信号を受け付けたと判別された場合に、当該通信端末装置の電源をオンして前記端末接続装置側で受信した通信を引き継いで行う制御手段と、
を具備したことを特徴とする通信端末装置。
【請求項１０】
前記制御手段が当該通信端末装置の電源をオンした場合に、所定の通知を行う通知手段を更に備える、
ようにしたことを特徴とする請求項９記載の通信端末装置。
【請求項１１】
前記通知手段による通知は、表示部での表示、報音部による鳴音、バイブレータ駆動による振動、発光素子の駆動のうち、少なくともそのいずれかである、
ことを特徴とする請求項１０記載の通信端末装置。
【請求項１２】
コンピュータに対して、
通信端末装置が使用する通信識別情報と同一の通信識別情報を用いて通信を行う機能と、
前記通信を受信した際に、特定の通信であるか否かを判別する機能と、
前記特定の通信であると判別された場合に、前記通信端末装置の電源をオンさせて前記通信を通信端末装置に引き渡す処理を行う機能と、
を実現させるためのプログラム。
【請求項１３】
コンピュータに対して、
通信端末装置が使用する通信識別情報と同一の通信識別情報を用いて端末接続装置側の通信手段が特定の送信元からの通信を受信した場合に、当該端末接続装置から所定の信号を受け付ける機能と、
前記所定の信号を電源オフの状態で受け付けたのか否かを判別する機能と、
前記所定の信号を電源オフの状態で受け付けたと判別された場合に、電源をオンして前記端末接続装置側で受信した通信を引き継いで行う機能と、
を実現させるためのプログラム。
【発明の詳細な説明】
【技術分野】
【０００１】
この発明は、通信端末装置、この通信端末装置が接続可能な端末接続装置、及びプログラムに関する。
【背景技術】
【０００２】
近年、自宅に固定電話を設置せずに、携帯電話機のみを所有するという傾向が増えてきているが、この携帯電話機にあっては、就寝時などで呼び出し音によって煩わされないように、あるいは二次電池への充電を早めるために電源をオフすると、緊急の連絡や重要な連絡をも受信することができなくなってしまう。そこで、従来では、電源をオフすることなく、迷惑電話などを防止する解決策の一つとして、特に煩わしい迷惑電話（例えば、ワンギリ）を受信しないように、設定時間の間は、報音部やバイブレータを非動作状態とする技術が開示されている（特許文献１参照）。
【先行技術文献】
【特許文献】
【０００３】
【特許文献１】特開２００４−５６６５１号公報
【発明の概要】
【発明が解決しようとする課題】
【０００４】
しかしながら、上述した先行技術にあっては、電話やメールの着信通知を即座に行わないようにしているため、ワンギリなどの迷惑電話を回避することができたとしても、全ての迷惑電話、緊急を要さない電話までも回避できるわけではない。また、発信元では相手が電話に直ぐにでない場合には、電話を直ぐに切ってしまうこともある。
【０００５】
本発明の課題は、電源オフによって通信の受信を回避したとしても、特定の通信に対してはそれを受信できるようにすることである。
【課題を解決するための手段】
【０００６】
上述した課題を解決するために請求項１記載の発明は、通信端末装置が接続可能な端末接続装置であって、前記通信端末装置が使用する通信識別情報と同一の通信識別情報を用いて通信を行う通信手段と、この通信手段によって通信を受信した際に、特定の通信であるか否かを判別する判別手段と、この判別手段によって特定の通信であると判別された場合に、前記通信端末装置の電源をオンさせて前記通信を通信端末装置に引き渡す処理を行う制御手段と、を具備したことを特徴とする。
【０００７】
請求項１に従属する発明として、特定の送信元を記憶する記憶手段を更に備え、前記判別手段は、前記通信手段によって通信を受信した場合に、その通信の送信元が前記記憶手段に記憶されているか否かに基づいて特定の通信であるか否かを判別する、ようにしたことを特徴とする請求項２記載の発明であってもよい。
【０００８】
請求項２に従属する発明として、前記通信端末装置が接続された場合に、前記通信端末装置側に記憶されている特定の送信元を示す情報を取得して前記記憶手段の内容を更新する、ようにしたことを特徴とする請求項３記載の発明であってもよい。
【０００９】
請求項１に従属する発明として、前記判別手段は、前記通信手段によって通信を受信した場合に、その通信に緊急信号が含まれているか否かにより特定の通信であるか否かを判別する、ようにしたことを特徴とする請求項４記載の発明であってもよい。
【００１０】
請求項１に従属する発明として、前記制御手段は、前記通信端末装置が電源オフの状態で接続されている場合に、前記通信手段による通信が有効となるように制御する、ようにしたことを特徴とする請求項５記載の発明であってもよい。
【００１１】
請求項１に従属する発明として、前記通信識別情報を記憶している前記通信端末装置が接続された場合に、通信端末装置側から通信識別情報を取得する取得手段を更に備える、ようにしたことを特徴とする請求項６記載の発明であってもよい。
【００１２】
請求項１に従属する発明として、前記制御手段は、前記通信端末装置が接続された際に、通信端末装置の電源をオフさせると共に、前記通信手段による通信が有効となるように制御する、ようにしたことを特徴とする請求項７記載の発明であってもよい。
【００１３】
請求項１又は２に従属する発明として、前記通信端末装置を充電する充電手段を更に備える、ようにしたことを特徴とする請求項８記載の発明であってもよい。
【００１４】
また、上述した課題を解決するために請求項９記載の発明は、通信手段を有する端末接続装置に接続される通信端末装置であって、当該通信端末装置が使用する通信識別情報と同一の通信識別情報を用いて前記端末接続装置側の通信手段が特定の送信元からの通信を受信した場合に、当該端末接続装置から所定の信号を受け付ける受付手段と、この受付手段によって受け付けた所定の信号を電源オフの状態で受け付けたのか否かを判別する判別手段と、この判別手段によって電源オフの状態で所定の信号を受け付けたと判別された場合に、当該通信端末装置の電源をオンして前記端末接続装置側で受信した通信を引き継いで行う制御手段と、を具備したことを特徴とする。
【００１５】
請求項９に従属する発明として、前記制御手段が当該通信端末装置の電源をオンした場合に、所定の通知を行う通知手段を更に備える、ようにしたことを特徴とする請求項１０記載の発明であってもよい。
【００１６】
請求項１０に従属する発明として、前記通知手段による通知は、表示部での表示、報音部による鳴音、バイブレータ駆動による振動、発光素子の駆動のうち、少なくともそのいずれかである、ことを特徴とする請求項１１記載の発明であってもよい。
【００１７】
また、上述した課題を解決するために請求項１２記載の発明は、コンピュータに対して、通信端末装置が使用する通信識別情報と同一の通信識別情報を用いて通信を行う機能と、前記通信を受信した際に、特定の通信であるか否かを判別する機能と、前記特定の通信であると判別された場合に、前記通信端末装置の電源をオンさせて前記通信を通信端末装置に引き渡す処理を行う機能と、を実現させるためのプログラムを特徴とする。
【００１８】
また、上述した課題を解決するために請求項１３記載の発明は、コンピュータに対して、通信端末装置が使用する通信識別情報と同一の通信識別情報を用いて端末接続装置側の通信手段が特定の送信元からの通信を受信した場合に、当該端末接続装置から所定の信号を受け付ける機能と、前記所定の信号を電源オフの状態で受け付けたのか否かを判別する機能と、前記所定の信号を電源オフの状態で受け付けたと判別された場合に、電源をオンして前記端末接続装置側で受信した通信を引き継いで行う機能と、を実現させるためのプログラムを特徴とする。
【発明の効果】
【００１９】
この発明によれば、電源オフによって通信の受信を回避したとしても、特定の通信に対してはそれを受信することができ、特に緊急を要する場合、実情に適した制御が可能となる。
【図面の簡単な説明】
【００２０】
【図１】通信端末装置（携帯電話機）１への充電時に、この通信端末装置１を外部装置（端末接続装置）である充電機能付きクレードル（充電台）２に接続させる場合を示した図。
【図２】通信端末装置１の基本的な構成要素を示したブロック図。
【図３】クレードル２の基本的な構成要素を示したブロック図。
【図４】通信端末装置１側の特定送信元テーブルＴ４及びクレードル２側の特定送信元テーブルＣ４を説明するための図。
【図５】（１）は、着信フラグメモリＴ２／着信フラグメモリＣ２を示した図、（２）は、クレードル２側の受信権利フラグメモリＣ３を示した図。
【図６】電源投入（オン）に応じて実行開始される通信端末装置１側の全体動作の概要を示したフローチャート。
【図７】図６の動作に続くフローチャート。
【図８】図７の動作に続くフローチャート。
【図９】電源投入（オン）に応じて実行開始されるクレードル２側の全体動作の概要を示したフローチャート。
【図１０】図９の動作に続くフローチャート。
【図１１】（１）は、緊急信号の着信通知の場合での表示例を示した図、（２）は、特定送信元からの着信通知の場合での表示例を示した図。
【図１２】この実施形態の変形応用例を示し、通信端末装置１が接続可能な端末接続装置として通信機能付きの電源アダプタ３に適用した場合を説明するための図。
【発明を実施するための最良の形態】
【００２１】
以下、図１〜図１１を参照して本発明の実施形態を説明する。
図１は、通信端末装置（携帯電話機）１への充電時に、この通信端末装置１を外部装置（端末接続装置）である充電機能付きクレードル（充電台）２に接続させる場合を示した図である。
通信端末装置１は、通話機能、電子メール機能、インターネット接続機能（Ｗｅｂアクセス機能）などを備えた携帯電話機で、この通信端末装置１に内蔵されている二次電池（図示せず）を充電する際には、この通信端末装置１を充電機能付きクレードル２に接続（載置）させる。
【００２２】
この通信端末装置１をクレードル２に載置させることによって通信端末装置１側に設けられているクレードル電源用の接続端子ＴＣ１とクレードル信号用の接続端子ＴＣ２とは、クレードル２側に設けられている端末電源用の接続端子ＣＣ１、端末信号用の接続端子ＣＣ２に電気的に接続される（接触、非接触は問わない）。クレードル２は、通信端末装置１への充電を行う充電機能のほか、通信機能を備えている。このクレードル２側の通信機能によって通信端末装置１とクレードル２との間での通信が可能となり、また、無線通信網を介して図示しない他の通信端末装置などからの通話（電話）やメールを受信することができるようになっている。
【００２３】
図２は、通信端末装置１の基本的な構成要素を示したブロック図である。
制御部１０は、二次電池を備えた電源部１１からの電力供給によって動作し、記憶部１２内の各種のプログラムに応じてこの通信端末装置１の全体動作を制御するもので、この制御部１０には図示しないＣＰＵ（中央演算処理装置）やメモリなどが設けられている。電源部１１は、クレードル２などから電力が供給されることによって充電されるもので、制御部１０からの制御信号に応じてオン／オフされる。
【００２４】
記憶部１２は、ＲＯＭ、ＲＡＭなどの内部メモリで、図示しないプログラム領域とデータ領域とを有し、このプログラム領域には、後述する図６〜図８に示す動作手順に応じて本実施形態を実現するためのプログラムが格納されている。また、記憶部１２のデータ領域には、通信識別情報として加入者電話番号やメールアドレスを記憶する通信識別情報メモリＴ１のほか、後述する着信フラグメモリＴ２、アドレス帳Ｔ３、特定送信元テーブルＴ４などが設けられている。なお、記憶部１２としては、例えば、ＳＤカード、ＩＣカードなど、着脱自在な可搬型メモリ（記録メディア）を含む構成、あるいは図示しない所定の外部サーバ上にあってもよい。
【００２５】
操作部１３は、ダイヤル入力、文字入力、コマンド入力などを行うもので、制御部１０は、操作部１３からの操作信号に応じた処理として、例えば、発信処理、電子メール作成処理など、各種の処理を行う。通信部１４は、図示しない無線部、ベースバンド部、多重分離部などを備え、例えば、通話機能、電子メール機能、インターネット接続機能の動作時に最寄りの基地局との間でデータの送受信を行うもので、通話機能の動作時にはベースバンド部の受信側から信号を取り込んで受信ベースバンド信号に復調したのち、電話部１５を介して通話用スピーカＳＰから音声出力させ、また、通話用マイクＭＣからの入力音声データを電話部１５から取り込み、送信ベースバンド信号に符号化したのち、ベースバンド部の送信側に与えてアンテナＡＮＴから発信出力させる。
【００２６】
表示部１６は、例えば、高精細液晶を使用し、アイコン、文字データ、待受画像などを表示する。照明部１７は、発光素子の駆動によって照明光を発射するもので、表示部１６のバックライトとして利用される。報知部１８は、バイブレータ部１８Ａ、報音部１８Ｂ、ＬＥＤ部１８Ｃを備え、バイブレータ部１８Ａは、振動モータを駆動してバイブレーションを発生し、報音部１８Ｂは、着信音（鳴音）を発生出力し、ＬＥＤ部１８ＣはＬＥＤを発光する。クレードル接続部１９は、クレードル電源用の接続端子ＴＣ１を備えたクレードル電源接続部１９Ａと、クレードル信号用の接続端子ＴＣ２を備えたクレードル信号接続部１９Ｂとを有する構成で、制御部１０は、このクレードル接続部１９からの出力、あるいは通信端末装置が載置されると押下される図示しないスイッチの状態に応じてクレードル２に載置（接続）されているか否かを検出するようにしている。
【００２７】
図３は、クレードル２の基本的な構成要素を示したブロック図である。
制御部２０は、電源部２１からの電力供給によって動作し、記憶部２２内の各種のプログラムに応じてこのクレードル２の全体動作を制御するもので、この制御部２０には図示しないＣＰＵ（中央演算処理装置）やメモリなどが設けられている。電源部２１は、図示しないＡＣ電源に接続されて各部に電力供給を行うほか、通信端末装置１への充電を行う。記憶部２２は、ＲＯＭ、ＲＡＭなどの内部メモリで、図示しないプログラム領域とデータ領域とを有し、このプログラム領域には、後述する図９及び図１０に示す動作手順に応じて本実施形態を実現するためのプログラムが格納され、また、そのデータ領域には、通信端末装置１が使用する通信識別情報を受信取得して記憶する通信識別情報メモリＣ１のほか、後述する着信フラグメモリＣ２、受信権利フラグメモリＣ３、特定送信元テーブルＣ４などが設けられている。
【００２８】
通信部２３は、通信端末装置１側の通信部１４と同様に図示しない無線部、ベースバンド部、多重分離部などを備えた構成で、通信時に最寄りの基地局との間でデータ（音声データを含む）の送受信を行うもので、制御部２０は、電源がオフされている通信端末装置１が載置されている状態において、予め通信端末装置１側から取得したおいた後述の通信識別情報宛の電話やメールの着信を検出すると、通信端末装置１の電源をオンさせると共に、その着信を通信端末装置１側に引き渡すようにしている。端末接続部２４は、端末電源用の接続端子ＣＣ１を備えた端末電源接続部２４Ａと、端末信号用の接続端子ＣＣ２を備えた端末信号接続部２４Ｂとを有する構成で、制御部２０は、この端末接続部２４からの出力、あるいは通信端末装置が載置されると押下される図示しないスイッチの状態に応じて通信端末装置１がクレードル２に載置されているか否かを検出するようにしている。なお、電源部２１からの電力は、端末電源用の接続端子ＣＣ１を介して通信端末装置１側に供給される。
【００２９】
図４は、通信端末装置１側の特定送信元テーブルＴ４及びクレードル２側の特定送信元テーブルＣ４を説明するための図である。
通信端末装置１側の特定送信元テーブルＴ４は、通信端末装置１側の電源をオフすることによって電話やメールの受信を回避していても、家族、親友、地方自治体などの特定相手（特定送信元）からの電話やメールであれば、それを受信可能するためにその特定送信元に関する情報を記憶するもので、その内容は予めユーザ操作によって任意に設定されたものである。なお、緊急信号の入った通信を送る可能性のある地方公共団体、気象機関、警察機関などの送信元情報（メールアドレスや電話番号）が予め分かっていれば、その情報を特定送信元として登録しておいてもよい。
【００３０】
この場合、例えば、特定送信元に関する情報をキー操作によって入力設定する場合のほか、通信端末装置１側のアドレス帳Ｔ３に通信相手毎に登録されているアドレス帳データのうち、ユーザ操作によって任意に選択したアドレス帳データを特定の送信元として特定送信元テーブルＴ４に設定するようにしている。また、パソコンをはじめとする外部通信機器により、アドレス帳データを特定の送信元として特定送信元テーブルＴ４に設定するようにしてもよい。この特定送信元を示すアドレス帳データは、「名前」、「メールアドレス」、「電話番号」の項目を有している。クレードル２は、通信端末装置１が載置された場合に、通信端末装置１側の特定送信元テーブルＴ４の内容を取得して自己の特定送信元テーブルＣ４の内容を更新することによって、通信端末装置１側の特定送信元テーブルＴ４とクレードル２側の特定送信元テーブルＣ４との整合を図るようにしている。また、逆に特定送信元テーブルＣ４から特定送信元テーブルＴ４の内容を更新してもよい。
【００３１】
図５は、通信端末装置１側の着信フラグメモリＴ２／クレードル２側の着信フラグメモリＣ２、受信権利フラグメモリＣ３を説明するための図で、図５（１）は、着信フラグメモリＴ２／着信フラグメモリＣ２を示した図、図５（２）は、クレードル２側の受信権利フラグメモリＣ３を示した図である。
先ず、図５（１）を用いて着信フラグメモリＴ２／着信フラグメモリＣ２を説明する。通信端末装置１側の着信フラグメモリＴ２は、電源オフの通信端末装置１がクレードル２に載置されている状態において、通信識別情報（加入者電話番号、メールアドレス）宛の電話やメールの着信をクレードル２側で検出した場合に、クレードル２側で検出した着信を通信端末装置１側で受け付けるか否かを示したり、受け付けるときにはどのような着信を受け付けるのかを示したりするフラグを記憶するもので、予めユーザが任意に設定できるようになっている。
【００３２】
この着信フラグは、その値が“０”のときには、クレードル２からの着信を受け付けないことを示し、“１”のときには、クレードル２からの着信のうち、緊急性のある着信のみを受け付けることを示し、“２”のときには、クレードル２からの着信を全て受け付けることを示している。通信端末装置１側において電源オフ操作が行われた場合に、通信端末装置１がクレードル２に載置されていれば、通信端末装置１側の着信フラグメモリＴ２の内容は、クレードル２側に送信されてクレードル２側の着信フラグメモリＣ２に設定される。これによって通信端末装置１側の着信フラグメモリＴ２とクレードル２側の着信フラグメモリＣ２とは同一内容となる。また、この着信フラグの状態は、通信端末１で液晶などの表示部、及び又は通信端末１に具備される図示しないＬＥＤのＯＮ／ＯＦＦ、及び又はＬＥＤの輝度や色によって判別できるようにしてもよい。
【００３３】
図５（２）は、上述の通りクレードル２側の受信権利フラグメモリＣ３を示した図である。
受信権利フラグメモリＣ３は、通信端末装置１の通信識別情報（加入者電話番号、メールアドレス）宛の電話やメールを受信する権利がクレードル２側にあるか否かを示すフラグを記憶するもので、受信権利フラグは、その値が“０”のときには、クレードル２に受信権利がないことを示し、“１”のときには、クレードル２に受信権利があることを示している。この受信権利は、通信端末装置１側から付与されたもので、通信端末装置１は、その電源がオンされた際に、通信端末装置１がクレードル２に載置されていれば、クレードル２に受信権利を付与しないようにするために受信権利を破棄すべきことを示す信号をクレードル２に送信するようにしている。また、通信端末装置１は、電源がオフされた際に、通信端末装置１がクレードル２に載置されていれば、クレードル２に受信権利を付与するために受信権利を引き渡すことを示す信号をクレードル２に送信するようにしている。
【００３４】
電源がオフの状態の通信端末装置１が載置されている場合、クレードル２は、受信権利が付与されているので、通信部２３による通信が有効となり、通信端末装置１側から取得した通信識別情報宛の電話やメールの着信を検出すると共に、通信端末装置１の電源をオンさせてその着信を通信端末装置１側に引き渡すようにしている。また、本実施形態では一例としてクレードル２は、通信端末装置１が接続された際に、通信端末装置１に対してその電源オフを指示する電源オフ信号を出力するようにしている。
【００３５】
次に、この実施形態における通信端末装置１及びクレードル２の動作概念を図６〜図１０に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用してこの実施形態特有の動作を実行することもできる。
【００３６】
図６〜図８は、電源投入（オン）に応じて実行開始される通信端末装置１側の全体動作の概要を示したフローチャートである。図９及び図１０は、電源投入（オン）に応じて実行開始されるクレードル２側の全体動作の概要を示したフローチャートである。
先ず、通信端末装置１側において制御部１０は、電源オン操作が行われると、所定のメモリをクリアするなどの初期処理を行ったのち（図６のステップＡ１）、クレードル接続部１９からの出力、あるいは通信端末装置が載置されると押下される図示しないスイッチの状態に応じてクレードル２に載置されているかを調べ（ステップＡ２）、クレードル２に載置されていなければ（ステップＡ２でＮＯ）、待ち受け状態に移る（ステップＡ５）。
【００３７】
また、通信端末装置１がクレードル２に載置されていれば（ステップＡ２でＹＥＳ）、着信フラグメモリＴ２をアクセスし、着信フラグは“１”又は“２”であるかを調べる（ステップＡ３）。ここで、着信フラグが“１”又は“２”でなければ（ステップＡ３でＮＯ）、クレードル２からの着信を受け付けない場合であるから、待ち受け状態に移るが（ステップＡ５）、着信フラグが“１”又は“２”であれば（ステップＡ３でＹＥＳ）、クレードル２に対して受信権利フラグメモリＣ３に“０”を一旦セットするために受信権利破棄信号を送信したのち（ステップＡ４）、待ち受け状態に移る（ステップＡ５）。
【００３８】
この待ち受け状態において、通信部１４から電話やメールの着信を検出すると（ステップＡ６でＹＥＳ）、その着信に天地異変災害などを知らせる緊急信号が含まれているかを調べ（ステップＡ７）、緊急信号が含まれていれば（ステップＡ７でＹＥＳ）、緊急信号の着信通知を行う（ステップＡ８）。この場合、例えば、表示部１６、照明部１７、報知部１８のバイブレータ部１８Ａ、報音部１８Ｂ、ＬＥＤ部１８Ｃの全てを駆動して緊急事態を報知する。なお、表示部１６でのメッセージ表示、照明部１７による照明、バイブレータ部１８Ａによる振動、報音部１８Ｂによる鳴音、ＬＥＤ部１８Ｃによる発光のうち、少なくともその２以上の報知を行うようにしてもよい。図１１（１）は、緊急信号の着信通知の場合での表示例を示し、表示部１６には緊急メッセージが表示される。
【００３９】
着信に緊急信号が含まれていなければ（ステップＡ７でＮＯ）、通常の着信通知（緊急報知とは異なる簡易な着信通知）を行う（ステップＡ９）。そして、回線接続させるオフフック操作に応答して（ステップＡ１０でＹＥＳ）、通話可能状態とする通話処理を開始する（ステップＡ１１）。また、その後のオンフック操作に応答して（ステップＡ１２でＹＥＳ）、回線切断処理を実行したのち（ステップＡ１３）、上述のステップＡ６に戻る。
【００４０】
待ち受け状態において、電源オフ操作が行われると（ステップＡ１４でＹＥＳ）、クレードル２に載置されているかを調べ（ステップＡ１５）、クレードル２に載置されていなければ（ステップＡ１５でＮＯ）、ステップＡ２１に移り、電源部１１に対してオフ信号を与えて電源をオフさせるが、クレードル２に載置されていれば（ステップＡ１５でＹＥＳ）、着信フラグメモリＴ２をアクセスし、着信フラグは“１”又は“２”であるかを調べる（ステップＡ１６）。ここで、着信フラグが“１”又は“２”でなければ（ステップＡ１６でＮＯ）、クレードル２からの着信を受け付けない場合であるから、そのままステップＡ２１に移り、電源をオフさせる。
【００４１】
電源オフ操作時に着信フラグが“１”又は“２”であれば（ステップＡ１６でＹＥＳ）、クレードル２に受信権利を付与するために、クレードル２に対して受信権利引渡信号を送信する（ステップＡ１７）。そして、通信識別情報メモリＴ１から通信識別情報（加入者電話番号、メールアドレス）と着信フラグメモリＴ２の内容を読み出してクレードル２に対して送信すると共に（ステップＡ１８）、特定送信元テーブルＴ４の内容を読み出してクレードル２に対して送信する（ステップＡ１９）。その後、クレードル２からの電源オフ信号を受信するまで待ったのち（ステップＡ２０）、クレードル２からの電源オフ信号に応答して電源をオフさせる（ステップＡ２１）。
【００４２】
待ち受け状態において、クレードル２に載置されていることが検出されると（図７のステップＡ２２でＹＥＳ）、電源部１１はオフ状態かを調べ（ステップＡ２３）、電源がオンされていれば（ステップＡ２３でＮＯ）、着信フラグメモリＴ２をアクセスし、着信フラグは“１”又は“２”であるかを調べる（ステップＡ２４）。ここで、着信フラグが“１”又は“２”でなければ（ステップＡ２４でＮＯ）、クレードル２からの着信を受け付けない場合であるから、図６のステップＡ６に移るが、着信フラグが“１”又は“２”であれば（ステップＡ２４でＹＥＳ）、図６のステップＡ１７に移り、クレードル２に対して受信権利引渡信号を送信するほか、通信識別情報メモリＴ１、着信フラグメモリＴ２、特定送信元テーブルＴ４の内容をクレードル２に送信する（ステップＡ１８、Ａ１９）。
【００４３】
なお、クレードル２に載置されている状態において（ステップＡ２２でＹＥＳ）、電源がオフされていれば（ステップＡ２３でＹＥＳ）、一旦、電源部１１をオンしたのち（ステップＡ２５）、着信フラグをチェックし（ステップＡ２６）、着信フラグが“１”又は“２”でなければ（ステップＡ２６でＮＯ）、クレードル２からの着信を受け付けない場合であるから、電源部１１にオフ信号を与えて電源をオフさせるが（ステップＡ２７）、着信フラグが“１”又は“２”であれば（ステップＡ２６でＹＥＳ）、図６のステップＡ１７に移り、クレードル２に対して受信権利引渡信号を送信するほか、通信識別情報メモリＴ１、着信フラグメモリＴ２、特定送信元テーブルＴ４の内容をクレードル２に送信する（ステップＡ１８、Ａ１９）。
【００４４】
ここで、ステップＡ２５に相当する電源部１１のオンは、必ずしも通信端末装置１の全体機能をオン状態とする必要はなく、着信フラグや特定送信元テーブルのデータの授受ができる機能部のみをオン状態としてもよく、これにより通信端末装置１の省電力化にも貢献ができる。また、この場合、通信端末装置１とクレードル２との間でデータの送受信が行われている間は、通信端末装置１及びクレードル２において、通信中である旨をユーザに認知させる手段（ＬＥＤ表示など）を作動させてもよい。
【００４５】
また、通信端末装置１がクレードル２から取り外された場合には（図７のステップＡ２８でＹＥＳ）、電源部１１はオフ状態かを調べ（ステップＡ２９）、電源がオンされていれば（ステップＡ２９でＮＯ）、図６のステップＡ３に戻る。また、電源がオフされていれば（ステップＡ２９でＹＥＳ）、一旦、電源部１１をオンしたのち（ステップＡ３０）、着信フラグをチェックし（ステップＡ３１）、着信フラグが“１”又は“２”でなければ（ステップＡ３１でＮＯ）、クレードル２からの着信を受け付けない場合であるから、電源部１１にオフ信号を与えて電源をオフさせるが（ステップＡ３２）、着信フラグが“１”又は“２”であれば（ステップＡ３１でＹＥＳ）、図６のステップＡ６に移る。なお、ここでもステップＡ３０に相当する電源部１１のオンは、必ずしも通信端末装置１全体機能をオン状態とする必要はなく、着信フラグや特定送信元テーブルのデータの授受ができる機能部のみをオン状態としてもよく、通信端末装置１の省電力化にも貢献ができる。
【００４６】
他方、クレードル２側においては、電源オンに応じて図９及び図１０のフローチャートに沿ったプログラムが開始される。先ず、制御部２０は、端末接続部２４からの出力に、あるいは通信端末装置が載置されると押下される図示しないスイッチの状態応じて通信端末装置１が載置されているかを調べ（図９のステップＢ１）、通信端末装置１が載置されていなければ（ステップＢ１でＮＯ）、通信端末装置１の載置操作が行われたか、つまり、載置し始めを検出したかを調べ（ステップＢ４）、通信端末装置１が載置されるまでステップＢ１に戻る。いま、通信端末装置１の載置操作を検出したときには（ステップＢ４でＹＥＳ）、通信端末装置１から受信権利引渡信号を受信したかを調べる（ステップＢ５）。
【００４７】
この受信権利引渡信号は、上述したように通信端末装置１側において電源オフ操作が行われた場合に（図６のステップＡ１４でＹＥＳ）、クレードル２に載置されていれば（ステップＡ１５でＹＥＳ）、着信フラグが“１”又は“２”を条件として（ステップＡ１６でＹＥＳ）、通信端末装置１側から出力される信号である（ステップＡ１７）。この受信権利引渡信号をクレードル２側で受信すると（図９のステップＢ５でＹＥＳ）、通信端末装置１から送信されてきた通信識別情報、着信フラグを受信取得して、対応する通信識別情報メモリＣ１、着信フラグメモリＣ２に上書き記憶する（ステップＢ６）。
【００４８】
そして、通信端末装置１から送信されてきた特定送信元テーブルＴ４の内容を受信取得して、対応する特定送信元テーブルＣ４に上書き記憶する（ステップＢ７）。これによって通信識別情報メモリＣ１、着信フラグメモリＣ２、特定送信元テーブルＣ４の内容が更新されて、通信端末装置１側の通信識別情報メモリＴ１、着信フラグメモリＴ２、特定送信元テーブルＴ４の内容と同一となり、通信端末装置１側とクレードル２側でそれらの内容が整合するようになる。
【００４９】
そして、受信権利引渡信号に受信に応じて受信権利フラグメモリＣ３に“１”をセットし（ステップＢ８）、通信端末装置１に対して電源オフ信号を送信したのち（ステップＢ９）、上述のステップＢ１に戻る。ここで、通信端末装置１の載置が検出されるので（ステップＢ１でＹＥＳ）、受信権利フラグメモリＣ３の値は“１”であるかを調べるが（ステップＢ２）、いま、受信権利フラグは“１”にセットされているので、ステップＢ３に移り、待ち受け状態となる。
【００５０】
この待ち受け状態において、電話やメールの着信有無、つまり、通信識別情報メモリＣ１内の通信識別情報を宛先とする通信の有無を調べたり（図１０のステップＢ１０）、通信端末装置１の接続が取り外されたかを調べたり（ステップＢ１１）、通信端末装置１側で電源オン操作が行われたかを調べたり（ステップＢ１２）、通信端末装置１側で電源オフ操作が行われたかを調べたりする（ステップＢ１５）。いま、通信端末装置１の接続が取り外された場合には（ステップＢ１１でＹＥＳ）、受信権利フラグメモリＣ３に“０”をセットして受信権利を破棄したのち（ステップＢ１４）、図９のステップＢ１に戻る。
【００５１】
また、通信端末装置１側で電源オン操作が行われた場合には（ステップＢ１２でＹＥＳ）、通信端末装置１側から送信されてくる受信権利破棄信号を受信したかを調べる（ステップＢ１３）。ここで、受信権利破棄信号を受信しなければ（ステップＢ１３でＮＯ）、図９のステップＢ１に戻るが、受信権利破棄信号を受信した場合には（ステップＢ１３でＹＥＳ）、受信権利フラグメモリＣ３に“０”をセットしてクレードル２での受信権利を破棄する（ステップＢ１４）。
【００５２】
また、通信端末装置１側で電源オフ操作が行われた場合には（ステップＢ１５でＹＥＳ）、図９のステップＢ５に移り、受信権引渡信号の受信に応じて通信端末装置１内の、通信識別情報、着信フラグ、特定送信元を取得し、対応する通信識別情報メモリＣ１、着信フラグメモリＣ２、特定送信元テーブルＣ４に上書き記憶すると共に、受信権利フラグメモリＣ３に“１”をセットしたのち、通信端末装置１に対して電源オフ信号を送信する（ステップＢ６〜Ｂ９）。
【００５３】
一方、クレードル２の待ち受け状態において、電話やメールの着信を検出した場合には（図１０のステップＢ１０でＹＥＳ）、着信フラグメモリＣ２をアクセスし、着信フラグは“１”であるか（ステップＢ１６）、“２”であるかを調べる（ステップＢ２０）。いま、着信フラグが“０”であれば（ステップＢ２０でＮＯ）、クレードル２からの着信を受け付けない場合であるから、図９のステップＢ１に戻るが、着信フラグが“１”であれば（ステップＢ１６でＹＥＳ）、その着信に緊急信号が含まれているかを調べる（ステップＢ１７）。いま、緊急信号が含まれていなければ（ステップＢ１７でＮＯ）、着信フラグが“１”の場合に該当しないので、図９のステップＢ１に戻るが、緊急信号を含まれていれば（ステップＢ１７でＹＥＳ）、緊急信号電源オン信号を通信端末装置１に対して送信する（ステップＢ１８）。
【００５４】
また、着信フラグが“２”の場合には（ステップＢ２０でＹＥＳ）、その着信に緊急信号が含まれているかを調べ（ステップＢ２１）、緊急信号を含まれていれば（ステップＢ２１でＹＥＳ）、緊急信号電源オン信号を通信端末装置１に送信するが（ステップＢ２２）、緊急信号が含まれていなければ（ステップＢ２１でＮＯ）、その着信から送信元を特定する情報（電話番号、メールアドレス）を抽出し、この送信元情報に基づいて特定送信元テーブルＣ４を検索し、同一の送信元が特定送信元テーブルＣ４に記憶されているか否かに基づいて特定送信元からの着信であるか否かを調べる（ステップＢ２３）。
【００５５】
ここで、特定送信元からの着信であれば（ステップＢ２３でＹＥＳ）、特定送信元電源オン信号を通信端末装置１に送信するが（ステップＢ２４）、特定送信元からの着信でなければ（ステップＢ２３でＮＯ）、着信電源オン信号を通信端末装置１に送信する（ステップＢ２５）。そして、通信端末装置１とクレードル２とを通信可能な状態にして今回の着信を通信端末装置１側に引き渡す処理を行ったのち（ステップＢ１９）、図９のステップＢ１に戻る。
【００５６】
他方、通信端末装置１側においてクレードル２から緊急信号電源オン信号を受信した場合には（図８のステップＡ３３でＹＥＳ）、電源部１１をオンしたのち（ステップＡ３４）、クレードル２からの着信を引き継いで、通話可能状態としたり、受信メールを出力したりする（ステップＡ３５）。そして、上述したような緊急信号の着信通知を行う（ステップＡ３６）。この場合、表示部１６でのメッセージ表示、照明部１７による照明、バイブレータ部１８Ａによる振動、報音部１８Ｂによる鳴音のうち、少なくともその２以上の報知を行うようにしてもよい。また、緊急信号の着信通知時には、図１１（１）に示すように、表示部１６に緊急メッセージが表示される。このような着信通知を行ったのちは、図６のステップＡ１０に戻り、オフフック操作を調べる。
【００５７】
また、クレードル２から特定送信元電源オン信号を受信した場合には（ステップＡ３７でＹＥＳ）、電源部１１をオンしたのち（ステップＡ３８）、クレードル２からの着信を引き継いで、通話可能状態としたり、受信メールを出力したりする（ステップＡ３９）。そして、特定送信元からの着信通知を行う（ステップＡ４０）。この場合、予め設定されている着信通知の仕方で着信通知が行われる。図１１（２）は、特定送信元からの着信通知の場合での表示例を示し、特定送信元であることを示すメッセージとして“○○さんからの緊急連絡です”が表示される。その後、図６のステップＡ１０に戻る。
【００５８】
また、クレードル２から着信電源オン信号を受信した場合には（ステップＡ４１でＹＥＳ）、電源部１１をオンしたのち（ステップＡ４２）、クレードル２からの着信を引き継いで、通話可能状態としたり、受信メールを出力したりする（ステップＡ４３）。そして、通常の着信通知を行ったのち（ステップＡ４４）、図６のステップＡ１０に戻る。なお、通信端末装置１側においてその他の操作が行われた場合には（ステップＡ４５でＹＥＳ）、操作に応じた処理として、例えば、電話発信処理、メール作成処理のほか、アドレス帳Ｔ３や特定送信元テーブルＴ４に任意のデータを設定する設定処理などを行う（ステップＡ４６）。
【００５９】
以上のように、この実施形態におけるクレードル２は、通信端末装置１が使用する通信識別情報と同一の通信識別情報を用いて通信を受信した際に、この通信が特定の通信であれば、通信端末装置１の電源をオンさせて当該通信を通信端末装置１側に引き渡す処理を行うようにしたので、通信端末装置１側でその電源をオフすることによって通信の受信を回避したとしても、特定の通信に対してはそれを受信することができ、実情に適した制御が可能となる。この場合、ユーザにあっては通信端末装置１をクレードル２に接続（載置）させるという簡単な操作を行うだけでよい。これによって例えば、就寝中などにおいて迷惑、あるいは緊急を要さない通信の受信を回避しつつ、緊急の通信だけを受け付けることが可能となる。
【００６０】
クレードル２は、通信を受信した場合に、その通信の送信元が特定送信元テーブルＣ４に記憶されているか否かに基づいて特定の通信であるか否かを判別するようにしたので、就寝中などでも通信を受けたい家族や親しい友人などの場合には、それらの人を特定送信元テーブルＴ４に送信元として記憶しておくだけで、その通信を受けることができる。
また、上述図５（１）において記述したように、着信フラグを“２”に設定することにより、通信端末装置１の電源オフ状態でも、緊急、非緊急、特定送信元テーブルの内容に関わらず、通信端末装置１宛の全ての着信を受けることもできる。
【００６１】
クレードル２は、通信端末装置１が接続された場合に、通信端末装置１側の特定送信元テーブルＴ４の内容を取得して自己の特定送信元テーブルＣ４の内容を更新するようにしたので、常に最新の情報に基づき特定の送信元からの通信であるか否かを判別することができる。
【００６２】
クレードル２は、受信した通信に緊急信号が含まれているか否かにより特定の通信であるか否かを判別するようにしたことで、就寝中などでも通信を受けたい緊急の通信を受けることができる。
【００６３】
クレードル２は、通信端末装置１が電源オフの状態で接続されている場合に、通信部２３による通信が有効となるように制御するようにしたので、通信端末装置１とクレードル２とが同時に通信可能状態となることを防ぐことができるほか、無駄な電力消費を抑制することができる。
【００６４】
クレードル２は、通信端末装置１が接続された際に、通信端末装置１からその通信識別情報を取得するようにしたので、１台のクレードル２を複数台の通信端末装置１で兼用して使用するような場合でも、通信端末装置１毎にその通信識別情報を用いた通信が可能となり、１台のクレードル２で複数台の通信端末装置１を使い分けることができる。
【００６５】
クレードル２は、通信端末装置１が接続された際に、通信端末装置１の電源をオフさせることも可能であると共に、通信部２３による通信が有効となるように制御するようにしたので、ユーザにあっては通信端末装置１の電源のオン／オフ状態を意識せずに、クレードル２に接続するだけで、就寝中などで迷惑、あるいは緊急を要さない通信の受信を回避しつつ、緊急の通信だけを受けることができる。
【００６６】
クレードル２は、通信端末装置１を充電する充電機能を有しているので、通信端末装置１の電源オフ中にその通信を受けることだけではなく、通信端末装置１への充電が可能になるほか、通信端末装置１の電源をオフした状態で充電するために充電の高速化が可能となる。
【００６７】
通信端末装置１は、その通信端末装置宛の通信をクレードル２が受信した場合に、このクレードル２から所定の信号を受け付けると共に、この所定の信号を電源オフの状態で受け付けた場合には、電源をオンしてクレードル２側で受信した通信を引き継いで行うようにしたので、通信端末装置１側でその電源をオフすることによって通信の受信を回避したとしても、特定の通信に対してはそれを受信することができ、実情に適した制御が可能となる。この場合、ユーザにあっては通信端末装置をクレードル２に接続（載置）させるという簡単な操作を行うだけでよく、例えば、就寝中などにおいて迷惑、あるいは緊急を要さない通信の受信を回避しつつ、緊急の通信だけを受け付けることが可能となる。
【００６８】
通信端末装置１は、電源がオンされた際に、所定の通知を行うようにしたので、ユーザは特定の送信元からの通信を受けたことを即座に知ることができる。そのため、緊急災害時の自治体からの緊急通報に対しても避難行動を速やかに行なうことできる。
【００６９】
表示部１６でのメッセージ表示、照明部１７による照明、バイブレータ部１８Ａによる振動、報音部１８Ｂによる鳴音、ＬＥＤ部１８Ｃによる発光によって、特定の送信元から通信を受けたことを適切な方法でユーザに通知することができる。
【００７０】
なお、上述した実施形態においては、通信端末装置１をクレードル２に接続（載置）した際に通信端末装置１の電源をオフしているが、電源オフは利便性を鑑みユーザの操作やオートパワーオフにより行なわれてもよい。
また、上述した実施形態においては、着信フラグメモリＴ２／Ｃ２に“０”〜“２”の３種類の状態を設けた場合を示したが、更に、着信フラグ“３”として、例えば、「通信端末装置が電源オフでクレードル載置時にクレードルからの緊急の着信及び特定の送信元による着信を受ける」、着信フラグ“４”として、「通信端末装置が電源オフでクレードル載置時にクレードルからの特定の送信元による着信を受ける」といった状態を追加するようにしてもよい。
また、着信フラグメモリＴ２／Ｃ２は通信端末装置１、あるいはクレードル２にタイマーを内蔵し、時間的に変更できてもよい。
【００７１】
また、上述した実施形態においては、通信端末装置が接続可能な端末接続装置として、通信機能付きのクレードル２を例示したが、クレードル２に限らず、図１２に示すような電源アダプタ３であってもよい。この場合、通信端末装置１側に接続端子ＴＣは、アダプタ電源用の接続端子及びアダプタ信号用の接続端子を構成し、電源アダプタ３側の接続端子ＡＣは、端末電源用の接続端子及び端末信号用の接続端子を構成し、それらを電気的に接続させるようにすればよい。そして、電源アダプタ３は、電源制御機能のほかに電話やメールを受信する通信機能を有している。
【００７２】
このように構成された通信機能付きの電源アダプタ３は、ＡＣ電源に接続されている状態において、通信端末装置１に接続されると、通信端末装置１が使用する通信識別情報を用いて通信を受信可能となる。この際、特定の通信であれば、電源アダプタ３は、通信端末装置１の電源をオンさせて当該通信を通信端末装置１側に引き渡す処理を行うようにしている。これによって通信機能付きの電源アダプタ３に通信端末装置１を接続するだけでよく、通信端末装置１側で電源オフによって通信の受信を回避したとしても、特定の通信を受信することができる。更に、通信端末装置１はＡＣ電源に接続されているため、電池残量によらず確実に特定の通信を受信することができる。
また、本発明において、前述の特定送信元テーブルＴ４やフラグの立て方を拡張することにより、緊急時もしくは特定発信元の受信をメールのみ、電話のみ、勿論メールと電話の両方、と設定できるようにしてもよい。
【００７３】
また、本発明の適用は、通信端末装置として携帯電話機に限らず、その他、通信機能付きのパーソナルコンピュータ、ＰＤＡ、デジタルカメラ、音楽プレイヤー、ゲーム機器、あるいはそれらの複合機などであってもよい。
【符号の説明】
【００７４】
１  通信端末装置
２  クレードル
３  電源アダプタ
１０、２０  制御部
１１、２１  電源部
１２、２２  記憶部
１３  操作部
１４、２３  通信部
１５  電話部
１６  表示部
１７  照明部
１８  報知部
１８Ａ  バイブレータ部
１８Ｂ  報音部
１９  クレードル接続部
２４  端末接続部
Ｔ１、Ｃ１  通信識別情報メモリ
Ｔ２、Ｃ２  着信フラグメモリ
Ｃ３  受信権利フラグメモリ
Ｔ４、Ｃ４  特定送信元テーブル
【図１】
2010166207.tif 000003
【図２】
2010166207.tif 000004
【図３】
2010166207.tif 000005
【図４】
2010166207.tif 000006
【図５】
2010166207.tif 000007
【図６】
2010166207.tif 000008
【図７】
2010166207.tif 000009
【図８】
2010166207.tif 000010
【図９】
2010166207.tif 000011
【図１０】
2010166207.tif 000012
【図１１】
2010166207.tif 000013
【図１２】
2010166207.tif 000014